(57)【特許請求の範囲】
【請求項１】
サドル分水栓（１）の蓋取付ネジ部（２）に装着したガイド筒（３）に水漏れを防止した状態で挿入するスピンドル（４）の下端部に、止水部（８）と水道本管（５）の貫通穴（６）に応じたタップ（７）を備え、さらにスピンドル（４）の上端部には、ハンドル（９）を着脱自在に備え、止水部（８）は、タップ（７）の根元に位置すると共にタップ（７）の最大外径よりも径の大きなツバ状に形成してあり、ハンドルを回してタップ（７）で水道本管の貫通穴（６）に雌ネジを切りながらスピンドルを下降し、止水部（８）を該貫通穴（６）の表面側に密着して止水し且つスピンドルを該貫通穴（６）から起立させ、そのスピンドル（４）をガイドとして古いサドル分水栓を取り外すと共に新しいサドル分水栓の据え付けを行うことを特徴とするサドル分水栓取替用工具。
【請求項２】
タップ（７）を、スピンドル（４）に交換可能に取り付けたことを特徴とする請求項１記載のサドル分水栓取替用工具。
【発明の詳細な説明】
【０００１】
【発明の属する技術分野】
本発明は、水道本管に取り付いているサドル分水栓を、水道本管の断水を行うことなく取り替えるためのサドル分水栓取替用工具に関する。
【０００２】
【従来の技術】
水道本管には、サドル分水栓と呼ばれるものが、跨がった状態で多数取り付いており、そのサドル分水栓から、各家庭や事業所等への給水管を分岐している。従来、給水管には鉛管が使用されていたが、近年になって、鉛管から体に有害な成分が水道水に溶け出す恐れがあるということで、これを全て樹脂パイプに取り替えねばならなくなった。これに伴い、古いサドル分水栓も同時に新しいものに取り替える工事が、各地で大規模に行われようとしている。
【０００３】
【発明が解決しようとする課題】
サドル分水栓を取り替えるには、水道本管の断水が必要であり、それをすれば、広範囲の人に多大な迷惑をかけてしまうことになる。本発明はこれを回避するために、水道本管の断水を行わないでサドル分水栓の取り替えを簡便に実施できる、サドル分水栓取替用工具の提供を目的とする。
【０００４】
【課題を達成するための手段】
上記の課題を達成するために、請求項１記載の発明によるサドル分水栓取替用工具は、サドル分水栓の蓋取付ネジ部に装着したガイド筒に水漏れを防止した状態で挿入するスピンドルの下端部に、止水部と水道本管の貫通穴に応じたタップを備え、さらにスピンドルの上端部には、ハンドルを着脱自在に備え、止水部は、タップの根元に位置すると共にタップの最大外径よりも径の大きなツバ状に形成してあり、ハンドルを回してタップで水道本管の貫通穴に雌ネジを切りながらスピンドルを下降し、止水部を該貫通穴の表面側に密着して止水し且つスピンドルを該貫通穴から起立させ、そのスピンドルをガイドとして古いサドル分水栓を取り外すと共に新しいサドル分水栓の据え付けを行うことを特徴とする。ここで止水部とは、タップの最大外径よりも径の大きなツバ状に形成され、水道本管の貫通穴を表面側から塞ぐものをいう。また、水道本管の貫通穴に応じたタップとは、貫通穴に雌ネジを切ることのできるタップの意味である。
【０００５】
本工具の使用方法は実施の形態のところで詳しく述べるが、ここで簡単に述べると、サドル分水栓を貫通して本工具のスピンドルを水道本管の貫通穴に突き立て、そのスピンドルをガイドとしてサドル分水栓の取り外し、及び取り付けを行うものである。本工具によれば、スピンドル下端部のタップが水道本管の貫通穴に雌ネジを切ることによって強く係止し、且つ止水部が貫通穴の表面側に密着することによって止水が完全になされ、サドル分水栓の交換に際して水道本管の断水を必要としない。
【０００６】
水道本管の貫通穴の大きさは一定でないから、タップをスピンドルに溶接等で固着した場合には、呼び径の異なるタップを取り付けたスピンドルを、複数本用意する必要がある。請求項２記載の発明は、タップを、スピンドルに交換可能に取り付けたことを特徴とする。この発明によれば、タップを交換することにより、一本のスピンドルで貫通穴の大きさ違いに対応できる。
【０００７】
【発明の実施の形態】
以下、本発明の実施の形態を図面に基づいて説明する。図１は、本発明によるサドル分水栓取替用工具の全体の形態、及び使用状態を示している。本工具は、丸棒状のスピンドル４の下端部にタップ７を備え、スピンドル４の上端部にはハンドル９を着脱自在に備えている。
【０００８】
周知の通り、サドル分水栓１の内部には、上下に連通した水路１０と、そこから横向きに分岐した給水路１１が形成されており、そのＴ字型となった水路の交差部に球状の弁体１２を有し、弁体１２から給水路１１の反対側に突き出して設けた弁操作部１３を操作することで弁体１２が回転し、給水路１１に水を流したり遮断したりできる。上下に連通する水路１０は、通常は蓋体によって塞がれるが、水道本管５からサドル分水線１に水を導く貫通穴６を開ける時や、その貫通穴６に防錆用のコアを設置したりする時には、蓋体を外してドリルやコア挿入棒が挿通される。本発明による工具も、スピンドル４をサドル分水栓１の上下水路１０に挿通し、スピンドル先端のタップ７を水道本管の貫通穴６に捩じ込んで止水し、その状態でサドル分水栓１の取り替えを行うものである。
【０００９】
スピンドル４の先端部を拡大して示したのが図２である。スピンドル４は中空状となっていて、市販されているタップ７のシャンク部１５を途中で切断し、シャンク部１５をスピンドル先端の穴に挿入し、溶接によってスピンドル４とタップ７を一体化している。タップ７は管用テーパタップや、ストレートタップ（メートル並目ネジ等）を用いることができる。この実施形態では、溶接の肉１６が止水部８を形成するので、その表面にあまり凹凸がないようにしておく。タップ７には切屑を排出するための縦溝１７を有するが、そこからの水漏れを防ぐためにその縦溝１７を、タップの根元から５ｍｍ程度、溶接で埋めるようにする。水道本管の貫通穴６の大きさにはばらつきがあるので、呼び径の異なるタップ７を取り付けたスピンドル４を複数本用意し、そのうちの一本を適宜選択して用いる。
【００１０】
図３は、タップ７をスピンドル４の先端部に交換可能に取り付ける一つの形態を示している。ここではタップ７のシャンク部１５をスピンドル４先端の穴に挿入し、横向きにピン１８を貫通することによって固定している。呼び径の異なるタップ７を取り付けるには、図３（ロ）に示すように、ブッシュ１９を使用したりすればよい。また、止水をより確実にするために、スピンドル４の端面にゴムパッキン２０を密着して設けても良い。
【００１１】
ハンドル９は、スピンドル４に対して空回りすることなく、且つ着脱自在に取り付く状態であればよい。図１の例では、スピンドル４の上端面に溝２１を形成し、その溝にハンドル９を嵌合させ、ボルト２２によって両者を固定している。
【００１２】
以下には、本発明の工具を使用してサドル分水栓の取り替えを行う手順を、図４に即して述べる。図４（イ）は、サドル分水栓１の通常の状態を示している。まず図４（ロ）に示すように、弁体１２によって内部の水路を塞ぎ、給水管２３と上蓋１４を取り外す。上蓋１４が取り付いていたネジ部２には、ガイド筒３を装着する。ガイド筒３は、貫通穴６に防錆用のコアを挿入する際に使用していたものを流用できる。
【００１３】
次に図４（ハ）に示すように、ガイド筒３にスピンドル４を挿入し、タップ７が弁体１２の真上に来た状態で一旦保持する。給水路１１はフタ２４で塞いでおく。次に図４（ニ）に示すように、弁体１２を開いてスピンドル４をさらに挿入する。タップ７が水道本管の貫通穴６に到達したら、ハンドル９を持ってスピンドル４を回転させ、タップ７で貫通穴６にネジを切りながら、さらに奥まで挿入する。ガイド筒３とスピンドル４の間には、図１に示すようにパッキン２５を有するので、この作業中に水が漏れることは一切なく、あわてて作業する必要はない。タップ７をその末端まで捩じ込むと、スピンドル下端の止水部８が貫通穴６を塞いで完全に止水される。これが図１の状態である。その後、スピンドル４からハンドル９を取り外し、図４（ホ）に示すように、スピンドルをガイドとして古いサドル分水栓を抜き取り、新しいものの据え付けを行う。新しいものを据え付けた後は、挿入した時と逆の手順によりスピンドル４を抜き取る。このように、本発明の工具を使用すれば、水道本管を断水することなく、サドル分水栓の取り替えを簡便に行うことができる。
【００１４】
本発明のサドル分水栓取替用工具は、ここに示した実施形態に限定されるものではない。タップ７及びハンドル９のスピンドル４への取付構造は、既存の他の工具に用いられている構造を用いても良い。タップ７は、市販のものを追加工して使用することができるが、水道本管の貫通穴用に専用に設計したものであっても良い。
【００１５】
【発明の効果】
本発明によるサドル分水栓取替用工具を使用すれば、水道本管を断水することなく、サドル分水栓の取り替えを簡便に行うことができる。スピンドル下端部に設けたタップと止水部によって止水が完全確実になされ、着脱自在なハンドルを設けたことによって、作業を容易に実施できる。
【００１６】
さらに請求項２記載の発明によれば、一本のスピンドルでタップのみを交換することにより、大きさの違う貫通穴に対応できる。
【図面の簡単な説明】
【図１】本発明によるサドル分水栓取替用工具の形態、及び使用状態を示す縦断面図である。
【図２】（イ）（ロ）
タップとスピンドルの連結構造を一部断面にして示す正面図である。
【図３】（イ）（ロ）
タップとスピンドルの、図２とは別の連結構造を一部断面にして示す正面図である。
【図４】（イ）（ロ）（ハ）（ニ）（ホ）
本発明のサドル分水栓取替用工具を使用して、サドル分水栓の取り替えを行う手順を示す図である。
【符号の説明】
１  サドル分水栓
２  蓋取付ネジ部
３  ガイド筒
４  スピンドル
５  水道本管
６  貫通穴
７  タップ
８  止水部
９  ハンドル
【図１】
0003686599.tif 000002
【図２】
0003686599.tif 000003
【図３】
0003686599.tif 000004
【図４】
0003686599.tif 000005